(57)【要約】【課題】  撮影中のタッチパネル操作により生じる手ブレの可能性を低減する。【解決手段】  撮影モード設定手段と、前記撮影モード設定手段により設定された撮影モード毎に異なる判定時間を記憶する記憶手段と、表示手段上へのタッチを検出するタッチ検出手段と、前記表示手段上へのタッチの継続時間を計時する計時手段と、前記表示手段上へのタッチが離されるタッチアップを検出するタッチアップ検出手段と、前記タッチ検出手段によって前記表示手段上へのタッチを検出していた状態から前記タッチアップ検出手段によってタッチアップを検出した際に、前記計時手段によって計時した継続時間が所定の判定時間に達していない場合に限り、関連付けられた機能を実行する制御手段を備える。【選択図】  図１
2018085668.tif 000002
【特許請求の範囲】
【請求項１】
撮影モード設定手段と、
前記撮影モード設定手段により設定された撮影モード毎に異なる判定時間を記憶する記憶手段と、表示手段上へのタッチを検出するタッチ検出手段と、
前記表示手段上へのタッチの継続時間を計時する計時手段と、
前記表示手段上へのタッチが離されるタッチアップを検出するタッチアップ検出手段と、
前記タッチ検出手段によって前記表示手段上へのタッチを検出していた状態から前記タッチアップ検出手段によってタッチアップを検出した際に、前記計時手段によって計時した継続時間が所定の判定時間に達していない場合に限り、関連付けられた機能を実行する制御手段とを有することを特徴とする電子機器。
【請求項２】
前記撮影モードが動画撮影モードの場合、前記動画撮影モードとは異なる撮影モードに比べ長く設定することを特徴とする請求項１に記載の電子機器。
【請求項３】
前記表示手段とは異なる第２の表示手段をさらに有し、前記撮影モードが第２の表示手段に映像表示を行う撮影モードの場合、第１の表示手段に映像表示を行う撮影モードに比べ、前記判定時間を長く設定することを特徴とする請求項１または２に記載の電子機器。
【請求項４】
前記第２の表示手段は電子ビューファインダーであることを特徴とする請求項３に記載の電子機器。
【請求項５】
撮影モード設定ステップと、
前記撮影モード毎に異なる判定時間を記憶するステップと、
表示手段上へのタッチを検出するタッチ検出ステップと、
前記表示手段上へのタッチの継続時間を計時する計時ステップと、
前記表示手段上へのタッチが離されるタッチアップを検出するタッチアップ検出ステップと、
前記タッチ検出ステップによって前記表示手段上へのタッチを検出していた状態から前記タッチアップ検出ステップによってタッチアップを検出した際に、前記計時ステップによって計時した継続時間が前記判定時間に達していない場合に限り、関連付けられた機能を実行するステップとを有することを特徴とする電子機器の制御方法。
【請求項６】
コンピュータを、請求項１乃至４のいずれか１項に記載された電子機器の各手段として機能させるためのプログラム。
【請求項７】
コンピュータを、請求項１乃至４のいずれか１項に記載された電子機器の各手段として機能させるためのプログラムを格納したコンピュータが読み取り可能な記録媒体。
【発明の詳細な説明】
【技術分野】
【０００１】
本発明は、電子機器及びその制御方法に関し、より具体的には、指またはスタイラスペンなどのオブジェクトの接触を検知するタッチパネルを有する撮像装置の制御方法に関するものである。
【背景技術】
【０００２】
近年、タッチパネルを備えたデジタルカメラが急増している。タッチパネルを備えた入力装置は、指やペンなどが接近あるいは接触し、センサ出力が閾値を越えた時に、指やペンがタッチしていると判断し、タッチしている位置の座標が算出される。これにより、入力対象と操作対象の一致による直感的な操作が可能となり、ユーザがより簡単に操作を行うことができる。
【０００３】
また、タッチパネルに対してタッチした後に所定時間内に離す操作において、離した時点で操作が確定し、機能が実行されるタップという操作が知られている。例えば、タッチパネルで構成される表示画面上に置かれているボタンアイコンに対するタップ操作により、ボタンアイコンに割り当てられた機能を実行させるものが一般的に用いられている。デジタルカメラでの応用例としては、タッチパネルに対してタッチすることで測距点を選択し、タップすることで選択された測距点に対して焦点調節を行う、あるいは焦点調節後撮影を行うといった機能がある。
【０００４】
しかし、動画撮影中でも、タップ操作により撮影開始／停止、追尾対象の被写体指定や焦点調節の実行などが行われるため、動画撮影中のユーザによるタッチパネル操作、特にタップ操作では手ブレが起きやすく、ブレた映像が記録されてしまうという課題がある。
【先行技術文献】
【特許文献】
【０００５】
【特許文献１】特開２０１１−０３９９９０号公報
【特許文献２】特開２０１４−０７５７１６号公報
【発明の概要】
【発明が解決しようとする課題】
【０００６】
特許文献１記載の発明では、タッチパネル上の第１の領域においてタッチ解除までに所定時間以上タッチが継続していることを検知した場合に限ってタップ操作を無効とし、第２の領域ではタッチ継続時間によらずタップ操作を有効とする装置が開示されている。しかし、動画撮影中などタッチパネル上の領域に依らず、ユーザが手ブレを抑えようと意図的にタッチ時間が長くなるようにタップする可能性がある。
【０００７】
この場合、タッチ継続時間が長くなるため、意図に反してタップ機能が実行されない可能性があった。一方でタッチパネル上のどの領域でもタッチ継続時間によらずタップ操作を有効とした場合、タッチパネル上に指が置かれていてカメラを構えなおしたりしたときに生じるタッチ解除をタップと判定してしまう従来の課題が残る。
【０００８】
特許文献２記載の発明では、動画記録中のタッチパネルの操作受付感度を動画記録中でない場合よりも高く制御することで動画撮影中のタッチパネル操作により生じる手ブレを低減している。しかし、タップ操作はタッチした後に短時間でタッチを離す操作になるため、タップ操作によるデジタルカメラへの振動から生じるブレに関しては操作受付感度の増減では対処できない。
【０００９】
本発明は、このような従来技術の課題に鑑みてなされたものであり、動画撮影中のタッチパネル操作の一つであるタップ操作により生じる手ブレの可能性を低減することを目的とする。
【課題を解決するための手段】
【００１０】
上記目的を達成するために、本発明にかかる電子機器は、撮影モード設定手段と、前記撮影モード設定手段により設定された撮影モード毎に異なる判定時間を記憶する記憶手段と、表示手段上へのタッチを検出するタッチ検出手段と、前記表示手段上へのタッチの継続時間を計時する計時手段と、前記表示手段上へのタッチが離されるタッチアップを検出するタッチアップ検出手段と、前記タッチ検出手段によって前記表示手段上へのタッチを検出していた状態から前記タッチアップ検出手段によってタッチアップを検出した際に、前記計時手段によって計時した継続時間が所定の判定時間に達していない場合に限り、関連付けられた機能を実行する制御手段を備える。
【発明の効果】
【００１１】
本発明によれば、撮影モードに適したタップ入力操作性を提供するとともに、タップ入力時の手ブレを低減した撮影を可能とする。
【図面の簡単な説明】
【００１２】
【図１】本実施形態におけるデジタルカメラのブロック図である。
【図２】第１の実施形態におけるフローチャートである。
【図３】撮影モードの違いによるタッチ出力の時間推移の違いを示した図である。
【図４】第２の実施形態をおけるフローチャートである。
【発明を実施するための形態】
【００１３】
以下、図面を参照して本発明の好適な実施形態を説明する。図１は、デジタルカメラ１００のシステムの主要部を示したブロック図である。図１を用いて本発明の第１の実施系に係る電子機器の構成について述べる。図１において、撮像装置は、例えばレンズ交換式のデジタルカメラであり、カメラ本体１００と入射光を撮像素子１０１に導くレンズユニット２００で構成される。
【００１４】
まずカメラ本体１００について説明する。撮像素子１０１はＣＭＯＳ型イメージングセンサで構成され、光学像である光信号を電気信号に変換する。撮影レンズ２０１に入射された光線は、絞り２０２、シャッタ１０３を通じて、撮像素子１０１上に光学像として結像する。
【００１５】
システム制御部１０２は、カメラ本体１００を制御し、周知のＣＰＵ等を内蔵する。システム制御部１０２は、撮像素子１０１で得られた映像信号の画像処理部をさらに含む。メモリ１０４は、システム制御部１０２の動作用のプログラム、変数、定数等を記憶する。また、このメモリ１０４は電気的に消去・記憶可能な不揮発性メモリも含まれ、各種パラメータやＩＳＯ感度等の設定値、撮影モード及び各種補正データ等が格納されている。
【００１６】
電源スイッチ１０５は、カメラ本体１００の電源オン／オフの各モードを切り替える。モード切り替え部１０６はライブビュー撮影・動画撮影等の各種撮影モードを切り替え設定するためのスイッチである。
【００１７】
背面モニター１０７は、システム制御部１０２でのプログラムの実行に応じて、文字、画像、音声等の動作状態やメッセージ等の撮影情報を表示する液晶装置やＬＥＤなどで構成されている。タッチパネル１０８は、背面モニター１０７と略同等の領域に配置され、指またはペンの接触を検知して背面モニター１０７に対する接触位置をシステム制御部１０２へ通知し、接触位置に関連付けられた操作または機能を実行する。
【００１８】
ファインダ表示部１０９は、背面モニター１０７同様にシステム制御部１０２でのプログラムの実行に応じて撮影情報を表示し、接眼レンズ１１０とともに電子ビューファインダ（ＥＶＦ）を構成する。また、１１１は接眼検知部であり、撮影者の接眼状態に応じてシステム制御部１０２は前述の撮影情報の表示を背面モニター１０７あるいはファインダ表示部１０９に選択的に表示する。
【００１９】
次にレンズユニット２００の構成について説明する。カメラ本体１００とレンズユニット２００はレンズマウント機構１１３を介して機械的電気的に接合しており、脱着可能となっている。前記レンズユニット２００は撮影レンズ２０１、絞り２０２、レンズ駆動回路２０３、絞り制御回路２０４、およびレンズ制御部２０５から構成されている。図１では簡略化の為に撮影レンズ２０１は一枚しか図示していないが、実際には多数の撮影レンズ群から構成されている。
【００２０】
レンズ制御部２０５はレンズユニット２００全体を制御する。レンズ制御部２０５は、不図示だがレンズ動作用の各種定数、変数やプログラム等を記憶するメモリを備えている。また、レンズユニット固有の情報である最大・最小絞り値、焦点距離等を保持する不揮発性メモリも備えている。
【００２１】
カメラ本体１００のシステム制御部１０２は撮像素子１０１の出力情報を用いてデフォーカス量を演算する。そして、システム制御部１０２は演算したデフォーカス量に基づいて、レンズユニット２００のレンズ制御部２０５を介して通信を行い、レンズ駆動回路２０３を制御する事でピントを合わせる。
【００２２】
以下、図２〜図４を参照して、本発明の各実施例の動作を説明する。
【００２３】
［第１の実施形態］
第１の実施形態における電子機器の制御方法を図２のフローチャートを用いて説明する。本実施形態の電子機器のユーザーインターフェースは、背面モニター１０７が撮像素子１０１で取得された撮影画像を逐次表示している間、タッチパネル１０８でタップされた位置に応じて前述の撮影画像中の一点に焦点調節を行うものを例として説明する。デジタルカメラ１００はＳ３０１で撮影モードを取得し、ライブビュー状態であればＳ３０２へ進み、タップ判定時間ＴｔをＴ１に設定し、動画撮影状態であればＳ３０３でタップ判定時間ＴｔをＴ１より長いＴ２に設定する。
【００２４】
タップ判定時間Ｔｔをライブビュー状態に比べ動画撮影状態で長くすることによる効果について図３を用いて説明する。
【００２５】
図３は（ａ）ライブビュー時と（ｂ）動画撮影時のタッチ出力の時間推移を表したものであり、それぞれ１回のタッチ入力およびタッチ解除があることを示している。縦軸は接触が検知された座標における静電容量変換値を示しており、静電容量変換値が予め設定されているタッチ判定閾値を越えた場合、システム制御部１０２はタッチを判定し、当該座標がタッチパネル１０８から入力される。
【００２６】
図３（ａ）のライブビュー時は目的の被写体に対して素早くピントを合わせるため、タッチ入力からタッチ解除までの時間、すなわちタッチ継続時間Ｔは短いものとなる。そこで、タップ判定時間Ｔ１は例えば１００ｍｓに設定する。
【００２７】
図３（ｂ）の動画撮影時は既に動画記録が開始されている状態であり、ピントを別の被写体に移したいときに、（ａ）と同様にタッチ入力してしまうと手ブレした映像が記録される可能性が高い。一方で手ブレを防止するために図３（ｂ）のようにゆっくりとタッチ入力およびタッチ解除を行った場合、タップ判定時間Ｔｔ＝Ｔ１ならば、Ｔ１より長い時間タッチ状態が継続しているため、タップ判定されない。そこで、動画撮影時はタップ判定時間ＴｔをＴ１より長い、例えば５００ｍｓに設定する。
【００２８】
再び図２のフローチャートの説明に戻る。Ｓ３０４でタッチパネルへのタッチ入力待ち状態となる。タッチ入力があればステップＳ３０５へ進みタッチ継続時間Ｔのタイマーを開始し、Ｓ３０６でタッチ位置Ｐを取得する。続いて、Ｓ３０７でタッチ入力の解除待ち状態となる。タッチ解除があればステップＳ３０８へ進みタッチ継続時間Ｔのタイマーを停止し、メモリ１０４に格納する。
【００２９】
Ｓ３０９でタッチ継続時間ＴがＳ３０２またはＳ３０３で設定されたＴｔに対して、小さければＳ３１０へ進みＳ３０６で取得したタッチ位置Ｐに対応する領域に対し、焦点調節を行う。タッチ継続時間ＴがＴｔ以上であればＳ３１０の焦点調節を行うことなく、Ｓ３１１へ進む。Ｓ３１1でユーザにより終了動作の指示がなされるまでＳ３０４へ戻り、Ｓ３０４〜Ｓ３１１を繰り返す。終了動作の指示とは電源オフや録画停止など撮影モードの変更があるような処理を指している。
【００３０】
以上のように、実施例１によれば動画撮影か否かでタップの判定時間を変えることにより、動画撮影時の手ブレを軽減することが可能となる。
【００３１】
［第２の実施形態］
動画撮影での手ブレを回避する方法として、三脚やキャスターなどにカメラを固定することで根本的に手ブレが発生しないような工夫がなされる。一般的にこのような三脚またはキャスターを用いての動画撮影では、背面モニターを見ながらの操作となる。そこで、第２の実施形態では、ホールディングの可能性が高いＥＶＦ撮影時に限ってタップ判定時間を延ばすことにより、手ブレしやすいホールドしながらの動画撮影における手ブレを軽減することが可能とする。
【００３２】
第２の実施形態における電子機器の制御方法を図４のフローチャートを用いて説明する。デジタルカメラ１００はＳ４０１で接眼検知を行い、接眼を検知した場合、Ｓ４０３でファインダ表示部１０９に表示を行うことでＥＶＦ表示を行い、接眼を検知できなかった場合はＳ４０２で背面モニター１０７に表示を行う。背面モニター表示の場合は撮影モードに依らずＳ４０５へ進み、タップ判定時間ＴｔをＴ１に設定する。ＥＶＦ表示の場合はＳ４０４で撮影モードを取得し、ライブビューならＳ４０５でタップ判定時間ＴｔをＴ１に設定し、動画撮影状態であればＳ４０６でタップ判定時間ＴｔをＴ１より長いＴ２に設定する。
【００３３】
Ｓ４０７でタッチパネルへのタッチ入力待ち状態となる。タッチ入力があればステップＳ４０８へ進みタッチ継続時間Ｔのタイマーを開始し、Ｓ４０９でタッチ位置Ｐを取得する。続いて、Ｓ４１０でタッチ入力の解除待ち状態となる。タッチ解除があればステップＳ４１１へ進みタッチ継続時間Ｔのタイマーを停止し、メモリ１０４に格納する。
【００３４】
Ｓ４１２でタッチ継続時間ＴがＳ４０５またはＳ４０６で設定されたＴｔに対して、小さければＳ４１３へ進みＳ４０９で取得したタッチ位置Ｐに対応する領域に対し、焦点調節を行う。タッチ継続時間ＴがＴｔ以上であればＳ４１３の焦点調節を行うことなく、Ｓ４１４へ進む。Ｓ４１４でユーザにより終了動作の指示がなされるまでＳ４０７へ戻り、Ｓ４０７〜Ｓ４１４を繰り返す。
【００３５】
以上のように、実施例２によればＥＶＦ撮影時に限って動画撮影中のタップ判定時間を延ばすことにより、手ブレしやすいホールドしながらの動画撮影における手ブレを軽減することが可能となる。一方でライブビューでの動画撮影では、カメラが三脚などで固定されている前提とはなるが、手ブレよりタッチ操作の応答性を優先した操作性を提供する。
【００３６】
なお、システム制御部５０が行うものとして説明した上述の各種の制御は１つのハードウェアが行ってもよいし、複数のハードウェアが処理を分担することで、装置全体の制御を行ってもよい。
【００３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３８】
また、上述した実施形態においては、本発明を電子機器に適用した場合を例にして説明したが、これはこの例に限定されず、タッチ操作を制御可能な電子機器であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【００３９】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００４０】
１００  デジタルカメラ
１０１  撮像素子
２００  レンズユニット
【図１】
2018085668.tif 000003
【図２】
2018085668.tif 000004
【図３】
2018085668.tif 000005
【図４】
2018085668.tif 000006